(57)【要約】【課題】天幕の取付け、取外しを簡単に行うことができるようにしたテントを提供することである。【解決手段】対向一対の前側支柱１０および対向一対の後側支柱１０のそれぞれにより支持された屋根骨格２０を天幕３０で覆い、その天幕３０の支柱１０と対向する部位に締付けベルト４０を連結する。連結部から垂れ下がる締付けベルト４０の一端部に、並設された二つのベルト挿通部５１を有し、そのベルト挿通部５１に締付けベルト４０の他端部を順次挿通して折り返すことによりループ部４２が形成され、その折り返し端部の引き下げによりループ部４２の長さが調整されて引き下げの解除により折り返しベルト部４０ａが緩み止めされるベルト長さ調整具５０を取付ける。柱部１０の上部に締付けベルト４０のループ部４２をスライド自在に連結可能なベルト連結部６２を設ける。ベルト連結部６２にループ部４２を連結し、折り返しベルト部４０ａの引き下げにより、天幕３０を緊張させる。【選択図】図３
2014125771.tif 000002
【特許請求の範囲】
【請求項１】
対向一対の前側支柱（１０）および対向一対の後側支柱（１０）と、その複数の支柱（１０）のそれぞれにより支持された屋根骨格（２０）と、その屋根骨格（２０）の上側全体を覆う天幕（３０）とを有してなるテントにおいて、
前記天幕（３０）の前記支柱（１０）のそれぞれ上部と対向する部位に締付けベルト（４０）を連結し、その連結部から垂れ下がる締付けベルト（４０）の一端部に、並設された二つのベルト挿通部（５１、５４、５８）を有し、そのベルト挿通部（５１、５４、５８）に締付けベルト（４０）の他端部を順次挿通して折り返すことによりループ部（４２）が形成され、その折り返し端部の引き下げによりループ部（４２）の長さが調整されて引き下げの解除により折り返しベルト部（４０ａ）が緩み止めされるベルト長さ調整具（５０）を取付け、前記柱部（１０）の上部に前記締付けベルト（４０）のループ部（４２）をスライド自在に連結可能なベルト連結部（６２、６３）を設けたことを特徴とするテント。
【請求項２】
前記ベルト連結部（６２、６３）が、前記柱部（１０）にスライド自在に嵌合され、外周一部の引き上げによって傾斜した際に支柱挿通孔（６１）の内周エッジ（ｅ）が支柱（１０）の外周に係合してロック状態とされる金属製のロックプレート（６０）に設けられた請求項１に記載のテント。
【請求項３】
前記ベルト連結部（６２）が、前記締付けベルト（４０）が挿通可能な長孔からなる請求項１又は２に記載のテント。
【請求項４】
前記ベルト連結部（６２）が、前記ループ部にスライド自在に設けられたフック（４３）が係合可能な係合孔からなる請求項１又は２に記載のテント。
【請求項５】
前記ベルト連結部（６２）が、金属製のコの字形軸（６３）からなる請求項１又は２に記載のテント。
【請求項６】
ベルト長さ調整具（５０）が、前記締付けベルト（４０）の一端部に設けられた袋部（４１）に一部が挿通された２つの金属リング（５１）からなる請求項１乃至５のいずれか１項に記載のテント。
【請求項７】
ベルト長さ調整具（５０）が、締付けベルト（４０）の一端部に取付けられた雌側バックル（５６）と、その雌側バックル（５６）への挿し込みにより係合され、外部に位置する端部に締付けベルト（４０）の他端部が挿通される二つの並設されたベルト挿通部（５８、５８）が形成された雄側バックル（５７）からなる請求項１乃至５のいずれか１項に記載のテント。
【発明の詳細な説明】
【技術分野】
【０００１】
この発明は、主として屋外において設営されるテントに関する。
【背景技術】
【０００２】
学校の運動場や公園の広場等において設営されるパイプテントには、屋根が側面Ｖ字形とされる切妻タイプや、屋根が前側から後側に向けて緩やかに下り勾配をもって傾斜する片流れタイプ等があり、いずれのテントにおいても、特許文献１に記載されているように、複数の支柱によって屋根骨格を支持し、その屋根骨格の上側をテント地（天幕）で覆うようにしている。
【０００３】
ここで、天幕を屋根骨格の上側に単に被せると風で飛ばされるおそれがあるため、屋根骨格に天幕を連結することが行われる。従来では、天幕の屋根骨格における桁と対向する位置に多数の紐を上記桁の長さ方向に間隔をおいて設け、それぞれの紐を桁に結び付けて天幕を張設し、固定する方法が広く採用されている。
【先行技術文献】
【特許文献】
【０００４】
【特許文献１】実開昭５５−１００５２６号公報
【発明の概要】
【発明が解決しようとする課題】
【０００５】
ところで、紐の結びによる天幕の取付けにおいては、紐結びが比較的高い位置での作業であり、しかも、多数の紐を結ぶ必要があるため、天幕の張設に非常に手間がかかり、また、取外しに際しても手間がかかるという問題がある。
【０００６】
この発明の課題は、天幕の取付け、取外しを簡単に行うことができるようにしたテントを提供することである。
【課題を解決するための手段】
【０００７】
上記の課題を解決するために、この発明においては、対向一対の前側支柱および対向一対の後側支柱と、その複数の支柱のそれぞれにより支持された屋根骨格と、その屋根骨格の上側全体を覆う天幕とを有してなるテントにおいて、前記天幕の前記支柱のそれぞれ上部と対向する部位に締付けベルトを連結し、その連結部から垂れ下がる締付けベルトの一端部に、並設された二つのベルト挿通部を有し、そのベルト挿通部に締付けベルトの他端部を順次挿通して折り返すことによりループ部が形成され、その折り返し端部の引き下げによりループ部の長さが調整されて引き下げの解除により折り返しベルト部が緩み止めされるベルト長さ調整具を取付け、前記柱部の上部に前記締付けベルトのループ部をスライド自在に連結可能なベルト連結部を設けた構成を採用したのである。
【０００８】
上記の構成からなるテントにおいて、屋根骨格を覆う天幕の張設に際しては、天幕に連結された締付けベルトの他端部を支柱に設けられたベルト連結部にスライド自在に連結し、そのベルト他端部を締付けベルトの一端部に設けられたベルト長さ調整具の二つのベルト挿通部に順次挿通してループ部を作り、締付けベルトの他端の折り返し端部の引き下げによってループ部を短くなる方向に長さ調整する。
【０００９】
上記のように、ベルト長さ調整具の二つのベルト挿通部に順次挿通されて折り返された折り返し端部の引き下げによってループ部を短くなる方向に長さ調整すると、そのループ部は支柱に設けられたベルト連結部にスライド自在に連結されているため、天幕には締付けベルトが連結された連結部位に引き下げ力が付与されることになり、その引き下げ力によって天幕が緊張され、張設状態とされる。
【００１０】
また、締付けベルトの折り返し端部の引き下げを解除すると、折り返しベルト部がベルト長さ調整具により弛み止めされ、天幕は張力調整状態に保持される。
【００１１】
天幕の取り外しに際しては、ベルト長さ調整具によるベルトの弛み止めを解除し、ループ部と支柱のベルト連結部の連結を解除する。その連結解除によって屋根骨格から天幕の取り外しを行なうことができる。
【００１２】
ここで、ベルト連結部は、支柱の上部外周に直接設けるようにしてもよい。また、支柱にスライド自在に嵌合した金属製のロックプレートに設けるようにしてもよい。
【００１３】
ロックプレートにベルト連結部を設けるようにすると、締付けベルトのループ部を短かくする方向への長さ調整時、ロックプレートのベルト連結部に引き上げ力が作用してロックプレートが傾斜し、そのロックプレートに形成された支柱挿通孔の内周エッジが支柱の外周に係合してロックプレートがロックされ、そのロック状態からベルト長さが調整され、天幕が緊張状態とされる。
【００１４】
上記のようにロックプレートにベルト連結部を設けると、傾斜するロック状態で、その傾斜下部を押し上げることにより簡単にロック解除することができると共に、そのロック解除によって締付けベルトに弛みを与えることができるため、ロックプレートと締付けベルトの連結を簡単に解除することができる。
【００１５】
ここで、ベルト連結部は締付けベルトが挿通可能な長孔からなるものであってもよく、締付けベルトのループ部にスライド自在に取り付けられたフックが係合可能な係合孔からなるものであってもよい。また、締付けベルトが挿通可能とされ、あるいは、ループ部にスライド自在に設けられたフックが係合可能な金属製のコの字形軸からなるものであってもよい。
【００１６】
この発明に係るテントにおいて、ベルト長さ調整具は締付けベルトの一端部に設けられた袋部に一部が挿通された２つの金属リングからなるものであってもよく、ベルトの一端部に取付けられた雌側バックルと、その雌側バックルへの挿し込みにより係合され、外部に位置する端部に締付けベルトの他端部が挿通される二つの並設されたベルト挿通部が形成された雄側バックルからなるものであってもよい。
【発明の効果】
【００１７】
この発明においては、上記のように、天幕に連結された締付けベルトの他端部を支柱に設けられたベルト連結部に連結し、そのベルト他端部を締付けベルトの一端部に設けられたベルト長さ調整具の二つのベルト挿通部に順次挿通してループ部を作る状態で締付けベルトの他端の折り返し端部を引き下げることにより天幕を緊張させることができ、また、ベルト長さ調整具によるベルトの弛み止めを解除し、ループ部と支柱のベルト連結部の連結を解除することによって天幕の取り外しを行なうことができるため、天幕の取付け、取外しを極めて簡単に短時間に能率よく行なうことができる。
【図面の簡単な説明】
【００１８】
【図１】この発明に係るテントの実施の形態を示す側面図
【図２】図１に示すテントの背面図
【図３】図１の天幕を締付ける締付けベルト部を拡大して示す一部切欠側面図
【図４】図３の背面図
【図５】（ａ）はベルト長さ調整具の他の例を示す一部切欠側面図、（ｂ）は（ａ）の背面図
【図６】（ｃ）はベルト長さ調整具のさらに他の例を示す一部切欠側面図、（ｄ）は（ｃ）の背面図
【図７】（ｅ）はベルト長さ調整具のさらに他の例を示す一部切欠側面図、（ｆ）は（ｅ）の背面図
【図８】（ｇ）はベルト長さ調整具のさらに他の例を示す一部切欠側面図、（ｈ）は（ｇ）の背面図
【発明を実施するための形態】
【００１９】
以下、この発明の実施の形態を図面に基づいて説明する。図１および図２は、片流れタイプのパイプテントを示す。このパイプテントは、左右一対の前側支柱および左右一対の後側支柱の合計４本のパイプ製支柱１０と、その４本の支柱１０によって支持された屋根骨格２０と、その屋根骨格２０の上側を覆う天幕３０とを有している。
【００２０】
屋根骨格２０は、左右一対の前側支柱１０の上部間に架設された前桁２１と、左右一対の後側支柱１０間に架設された後桁２２と、前後一対の支柱１１間に架設された左右一対の側面桁２３とからなり、それぞれの桁２１乃至２３はパイプ製とされている。
【００２１】
前桁２１、後桁２２および左右一対の側面桁２３のそれぞれ両端部には同方向に折れ曲がる挿入パイプ２４が設けられ、前桁２１および後桁２２の両端部に設けられた挿入パイプ２４は左右一対の前側支柱１０の上端部内側および左右一対の後側支柱１０の上端部内側にそれぞれ固着された接続筒１１内に挿入されて抜き差し自在に支持されている。
【００２２】
一方、左右一対の側面桁２３の両端部に設けられた挿入パイプ２４は前後支柱１０の上端から内部に挿入されて抜き差し自在に支持されている。
【００２３】
前後の桁２１、２２および左右一対の側面桁２３のそれぞれは、それぞれの桁２１乃至２３の両端部と複数の支柱１０のそれぞれ上部間に斜めに架設された支持アーム１２によって支柱１０間に架設された状態に保持される。
【００２４】
ここで、支持アーム１２の支柱１０側の一端部は、それぞれの支柱１０に設けられた支持片１３にピン１４を介して揺動自在に支持されており、その揺動側の他端部に設けられた連結ピン１６は桁２１乃至２３の下面に固着された連結片２５のダルマ孔２６に挿入されて抜き差し自在に連結されている。
【００２５】
なお、屋根骨格２０の強度を高めるため、前桁２１と後桁２２間に複数の補強桁を着脱自在に掛け渡すようにしてもよい。
【００２６】
天幕３０は、屋根骨格２０の上側全体を覆う天井地３１の外周に前垂れ３２、後垂れ３３および左右一対の側面垂れ３４を設けた構成とされ、その前垂れ３２は左右一対の前側支柱１０の上部間を覆い、後垂れ３３は左右一対の後側支柱１０の上部間を覆うようになっている。さらに、側面垂れ３４は前後支柱１０の上部間を覆うようになっている。
【００２７】
前垂れ３２および後垂れ３３の両端部には、支柱１０と対向する部位に鳩目３５が取付けられ、それぞれの鳩目３５に締付けベルト４０の一端部が挿通されて結び目の形成により固定されている。
【００２８】
図３および図４に示すように、締付けベルト４０の鳩目３５から垂れ下がる一端部にはベルト長さ調整具５０が取付けられている。ベルト長さ調整具５０は、締付けベルト４０の一端部に形成された袋部４１に一部が挿入されたベルト挿通部としての２つの金属リング５１からなる。その２つの金属リング５１に締付けベルト４０の他端部を挿通して一方の金属リング５１の一部を包み込み、その端部を残りの金属リング５１に挿通して折り返すことにより、締付けベルト４０の他端部にループ部４２が形成される。
【００２９】
ループ部４２は、残りの金属リング５１に挿通されて折り返された折り返しベルト部４０ａを引き下げることにより長さ調整されるようになっており、折り返しベルト部４０ａの引き下げを解除すると、２つの金属リング５１が締付けベルト４０を挟持して折り返しベルト部４０ａの弛みを防止するようになっている。
【００３０】
ループ部４２にはフック４３が取付けられている。フック４３は金属線材の折曲げにより形成され、端部には長孔４４が設けられ、その長孔４４にループ部４２を形成する締付けベルト４０の他端部が挿通されている。このため、フック４３はループ部４２に対してスライド自在の取付けとされている。
【００３１】
支柱１０のそれぞれにはロックプレート６０がスライド自在に嵌合されている。ロックプレート６０は金属板からなる。このロックプレート６０は、外周一部の引き上げにより傾斜状態とされると、支柱挿通孔６１における内周エッジｅの対向位置が支柱１０の外周に係合してロックするようになっている。また、ロックプレート６０のロック状態において、傾斜下部を押し上げるとロックが解除するようになっている。
【００３２】
ロックプレート６０の形状は任意であり、実施の形態では矩形状をなし、その両端部にはベルト連結部としての係合孔６２が形成され、その係合孔６２に対してフック４３が係合可能とされている。
【００３３】
実施の形態で示すテントは上記の構造からなり、屋根骨格２０の上側全体を覆う天幕３０の固定に際しては、支柱１０に嵌合されたロックプレート６０をスライドして、そのロックプレート６０に形成された係合孔６２のフック４３が係合し得る位置まで位置調整し、その位置調整後、係合孔６２にフック４３を係合し、締付けベルト４０の折り返しベルト部４０ａを引き下げる。
【００３４】
折り返しベルト部４０ａを引き下げるとループ部４２が短くなるため、ロックプレート６０は係合孔６２に係合するフック４３により引き上げられて傾斜状態となり、内周エッジｅの対向位置が支柱１０の外周に係合してロックする。
【００３５】
図３はロックプレート６０のロック状態を示し、そのロック状態から折り返しベルト部４０ａがさらに引き下げられると、天幕３０の鳩目３５に引き下げ力が付与されて引き下げられる。その引下げにより天幕３０が緊張され、固定状態とされる。
【００３６】
上記のように、ロックプレート６０の係合孔６２にフック４３を係合して折り返しベルト部４０ａを引き下げる簡単な操作により天幕３０を緊張させることができるため、天幕３０を極めて簡単に固定することができ、天幕３０を極めて容易に取付け状態とすることができる。
【００３７】
ここで、上記のような天幕３０の取付け状態において、傾斜状態でロックしているロックプレート６０の傾斜下端部を押し上げると、支柱１０の外周に対する支柱挿通孔６１の内周エッジｅの係合が簡単に解除する。その係合解除状態でロックプレート６０を支柱１０に沿って上方にスライドさせることにより、ループ部４２に弛みが生じるため、係合孔６２に対してフック４３を簡単に係合解除させることができ、その係合解除によって屋根骨格２０からの天幕３０の取り外しを行なうことができる。
【００３８】
図３および図４においては、ベルト長さ調整具５０として、２つの金属リング５１からなるものを示したが、ベルト長さ調整具５０はこれに限定されるものではない。図５（ａ）、（ｂ）はベルト長さ調整具５０の他の例を示している。このベルト長さ調整具５０においては、金属線材からなる角形環体５２の対向する縦軸部５２ａ間にロック軸５３を渡し、そのロック軸５３を縦軸部５２ａに沿ってスライド自在に支持して環体５２の内側に二つのベルト挿通部５４を設けている。
【００３９】
上記の構成からなるベルト長さ調整具５０の採用においては、締付けベルト４０の一端部に設けられた袋部４１で環体５２の縦軸部５２ａの端部間に渡る一対の横軸部５２ｂの一方を支持し、締付けベルト４０の他端部を上側のベルト挿通部５４に挿通して、ロック軸５３を巻き込むよう折り返し、その折り返し部を下側のベルト挿通部５４に挿通してループ部４２を形成し、折り返しベルト部４０ａの引き下げによりループ部４２の長さ調整を行い、ロック軸５３を巻き込む折り返しベルト部をロック軸５３と他方の横軸部５２ｂとで挟持して折り返しベルト部４０ａの弛み止めとする。
【００４０】
また、図３および図４では、フック４３が係合可能な係合孔６２をベルト連結部としたが、ベルト連結部は係合孔６２に限定されるものではない。図６（ｃ）、（ｄ）においては、両端部がロックプレート６０に固着されたコの字形軸６３をベルト連結部としている。この場合、そのコの字形軸６３の内側に締付けベルト４０の他端部を挿通してループ部４２を形成するようにしてもよく、あるいは、図３および図５に示すように、ループ部４２に取付けられたフック４３をコの字形軸６３に係合させるようにしてもよい。
【００４１】
なお、図３に示す係合孔６２を長孔として、その長孔からなる係合孔にフック４３を係合させ、あるいは、折り返しベルト部４０ａを挿通して、フック４３を省略してもよい。
【００４２】
図７（ｅ）、（ｆ）は、ベルト長さ調整具５０の他の例を示す。このベルト長さ調整具５０は、締付けベルト４０の一端部に取付けられた雌側バックル５６と、その雌側バックル５６への挿し込みにより係合される雄側バックル５７からなり、上記雄側バックル５７には雌側バックル５６に対する係合状態で外部に位置する端部に二つの並設された長孔からなるベルト挿通部５８が形成され、そのベルト挿通部５８に締付けベルト４０の他端部が挿通されてループ部４２が形成されている。
【００４３】
ここで、雄側バックル５７は一対の弾性を有する係合爪５７ａを有し、その係合爪５７ａを雌側バックル５６に形成された差し込み孔に挿入することにより、係合爪５７ａが係合して雌側バックル５６と雄側バックル５７が接続状態に保持されて、係合爪５７ａの先端部が雌側バックル５６の両側に形成された窓５９に臨み、その係合爪５７ａを両側から押し込むことにより係合が解除して接続解除し得る従来から一般的に知られているものであるため、雌雄のバックル５６、５７の詳細を図では省略している。
【００４４】
ベルト長さ調整具５０として、雌側バックル５６と雄側バックル５７からなるものを採用することにより、雌側バックル５６に雄側バックル５７を接続すると直ちに折り返しベルト部４０ａの引き下げによって天幕３０の緊張作業を行うことができるため、天幕３０の取付け作業を能率よく行うことができる。
【００４５】
図１乃至図７では、支柱１０にスライド自在に嵌合したロックプレート６０にベルト連結部としての係合孔６２や長孔、あるいは、コの字形軸６３を設けるようにしたが、図８（ｇ）、（ｈ）に示すように、支柱１０に直接ベルト連結具としてのコの字形軸６３やフック４３が係合可能な係合孔６２を設けるようにしてもよい。
【００４６】
また、図１乃至図７では、鳩目３５に締付けベルト４０の一端部を結びつけるようにしたが、締付けベルト４０の一端部にフックを取付け、そのフックを鳩目に係合させるようにしてもよく、あるいは、締付けベルト４０の一端部を天幕３０に縫着してもよい。
【００４７】
さらに、図１および図２では、片流れタイプのパイプテントを示したが、テントはこれに限定されない。例えば、切妻タイプのテントであってもよく、あるいは、側面桁２３やその側面桁２３間に設けられる複数の補強桁が上方に向く弓形あるいは円弧状とされて天幕３０の側面形状が曲線状とされた曲線状タイプのものであってもよい。曲線状タイプのテントにおける天幕の四隅部を実施の形態で示す締付けベルト４０を用いて緊張させることにより、天幕を全体にわたって綺麗に緊張させることができる。
【符号の説明】
【００４８】
１０  支柱
２０  屋根骨格
３０  天幕
４０  締付けベルト
４１  袋部
４０ａ  折り返しベルト部
４２  ループ部
４３  フック
５０  ベルト長さ調整具
５１  金属リング（ベルト挿通部）
５４  ベルト挿通部
５６  雌側バックル
５７  雄側バックル
５８  ベルト挿通部
６０  ロックプレート
６１  支柱挿通孔
６２  係合孔（ベルト連結部）
６３  コの字形軸（ベルト連結部）
【図１】
2014125771.tif 000003
【図２】
2014125771.tif 000004
【図３】
2014125771.tif 000005
【図４】
2014125771.tif 000006
【図５】
2014125771.tif 000007
【図６】
2014125771.tif 000008
【図７】
2014125771.tif 000009
【図８】
2014125771.tif 000010